(57)【要約】      （修正有）【課題】挿入されたＩＣカードの確認が可能であると共に、取り扱いの容易なバッグを提供する。【解決手段】バッグ１０は、上部に開口部を有する収容部を有するとともに、一方側の面１１ａと、他方側の面１１ｂとを有する。一方側または他方側のいずれか一方の面１１ａ、１１ｂには、ＩＣカードを保持するＩＣカードポケット１６が設けられる。ＩＣカードポケット１６は、その上側からＩＣカードの挿入が可能である。また、ＩＣカードポケット１６の幅方向の中央部には、縦方向に長いくり抜き（開口）１７が設けられ、挿入された定期券のようなＩＣカードを外部から視認可能である。【選択図】図１
0003222417.tif 000002
【実用新案登録請求の範囲】
【請求項１】
上部に開口部を有する収容部を有するとともに、一方側の面と、他方側の面とを有するバッグであって、
前記一方側または他方側のいずれか一方の面には、ＩＣカードを保持するＩＣカードポケットが設けられる、バッグ。
【請求項２】
前記ＩＣカードポケットは内部のカードの少なくとも一部が見える開口を有する、請求項１に記載のバッグ。
【請求項３】
前記一方側、または他方側の面には、ファスナー付のポケットが設けられる、請求項１または２に記載のバッグ。
【請求項４】
前記収容部には、複数のカードを収容する、複数のポケットが設けられる、請求項１〜３のいずれかに記載のバッグ。
【請求項５】
前記開口部を覆うカバー部と、前記カバー部を閉じる閉じ部とをさらに含み、前記閉じ部は、前記ＩＣカードポケットが設けられた面の反対側の面に設けられる、請求項１〜４のいずれかに記載のバッグ。
【請求項６】
前記ファスナー付きポケットの最下端部と、前記ＩＣカードポケットの最下端部とは同じ位置である、請求項３〜５のいずれかに記載のバッグ。
【考案の詳細な説明】
【技術分野】
【０００１】
この考案は、取り扱いの容易なバッグに関し、特に、ＩＣカードの保持部を有するバッグに関する。
【背景技術】
【０００２】
従来より、ＩＣカードを収容可能なバッグが提供されている。そのようなバッグの一例が、例えば、特開２００９−１３６６０２号公報（特許文献１）に開示されている。この公報によれば、底部に矩形状の開口部が形成されたバッグ本体と、開口部に設けるＩＣカード専用のパスケースとから少なくとも構成されるパスケース付きバッグであって、パスケースは、開口部の縁部に沿って取り付ける取付枠と、該取付枠に一体に設けられるトレー型の収納部と、取付枠に連結部を介して一体に設けられると共に収納部にセットされるＩＣカードの収納ケースとを備え、該収納ケースには、収納部へ出し入れをするための摘み片が設けられている。
【０００３】
また、実用新案登録第３０８０５２５号公報（特許文献２）には、バッグ類の底に非接触式ＩＣカード（定期券他）収納ポケットを設け、改札口等通過の際、そこにあらかじめ収納されている非接触式ＩＣカード（定期券他）を直接かざすだけで通過できるという特徴を有するバッグが開示されている。
【先行技術文献】
【特許文献】
【０００４】
【特許文献１】特開２００９−１３６６０２号公報
【特許文献２】実用新案登録第３０８０５２５号公報
【考案の概要】
【考案が解決しようとする課題】
【０００５】
特許文献１や特許文献２のバッグは、その底面に定期券のようなＩＣカードの保持部が設けられているため、バッグをＩＣカード読み取り機の上部を通過させるだけで、自動改札機を通過できる。しかしながら、誤ったＩＣカードが挿入される場合もあり、その場合は、使用者自身が、自分のバッグにどのようなＩＣカードが挿入されているのか分からないという問題があった。
【０００６】
また、これらの特許文献に開示されたバッグでは、底部にＩＣカードの保持部を設ける必要があるため、大きすぎて、取り扱いが困難であるという問題があった。
【０００７】
本考案は、上記のような課題を解決するためになされたものであって、その目的は、挿入されたＩＣカードの確認が可能であると共に、取り扱いの容易なバッグを提供することである。
【課題を解決するための手段】
【０００８】
この考案に係るバッグは、上部に開口部を有する収容部を有するとともに、一方側の面と、他方側の面とを有する。バッグの一方側または他方側のいずれか一方の面には、ＩＣカードを保持するＩＣカードポケットが設けられる。
【０００９】
好ましくは、ＩＣカードポケットは内部のカードの少なくとも一部が見える開口を有する。
【００１０】
一方側または他方側の面には、ファスナー付のポケットが設けられてもよい。
【００１１】
収容部には、複数のカードを収容する、複数のポケットが設けられてもよい。
【００１２】
開口部を覆うカバー部と、カバー部を閉じる閉じ部とをさらに含み、閉じ部は、ＩＣカードポケットが設けられた面の反対側の面に設けられてもよい。
【００１３】
一つの実施の形態においては、ファスナー付きポケットの最下端部と、ＩＣカードポケットの最下端部とは同じ位置である。
【考案の効果】
【００１４】
本考案によれば、バッグのＩＣカードポケットが設けられる面をカードの読み取り部にかざすだけで改札を通過できるとともに、バッグの一方面を見るだけで、挿入されたＩＣカードの確認が容易に可能であるバッグを提供できる。
【図面の簡単な説明】
【００１５】
【図１】本考案の実施の形態に係るバッグを示す正面、背面および底面を示す図である。
【図２】本考案の実施の形態にバッグの収容部を示す図である。
【図３】本考案の他の実施の形態に係るバッグの正面を示す図である。
【図４】収容部のポケットにカード等を収容した状態の図である。
【図５】収容部を開けた状態を示す斜視図である。
【図６】バッグへのＩＣカードの挿入方法や、ファスナー付ポケットの使用方法を示す図である。
【考案を実施するための形態】
【００１６】
本考案の実施の形態について図面を参照しながら詳細に説明する。図１（Ａ）は本考案の実施の形態に係るバッグ１０を示す正面図であり、図１（Ｂ）は背面図であり、図１（Ｃ）は底面を示す図である。
【００１７】
図１（Ａ）〜１（Ｃ）を参照して、本実施の形態に係るバッグ１０は、正面（第１の面）１１ａと、第１の面の背面（第２の面）１１ｂと、を有する。バッグ１０の上面には開口部２２（図２に示す）が設けられ、開口部２２はファスナー１９で閉じられる。
【００１８】
ここでは、正面１１ａには何も設けられていないが、背面１１ｂには、その上部にファスナー１８ａが設けられたポケット１８と、その下部にＩＣカードを保持するＩＣカードポケット１６が設けられる。
【００１９】
また、バッグ１０を保持するために、ベルト１５を設けている。ベルト１５は、バッグ１１の両側面１１ｃ、１１ｄに取り付けられる。
【００２０】
ＩＣカードポケット１６は、その上側からＩＣカードの挿入が可能である。また、ＩＣカードポケット１６の幅方向の中央部には、縦方向に長いくり抜き（開口）１７が設けられ、挿入された定期券のようなＩＣカードを外部から視認可能である。
【００２１】
また、図１（Ｃ）に示すように、バッグ１０の底部２０は矩形状である。
【００２２】
図２は、図１に示した、バッグ１０の上面のファスナー１９を開いて、開口部２２が見える状態を示す図である。
【００２３】
図２を参照して、バッグ１０の開口部はベルトが取り付けられる側面部１１ｃ、１１ｄが狭い、ほぼ矩形に近い楕円状であり、開口部２２が大きいため、旅行等に使用される、財布やパスポート、および切符等の任意の物品を容易に収納可能なように、３つのポケット２１ａ，２１ｂ，２１ｃが背面１１ｂ側に設けられている。なお、ポケット２１ａ，２１ｂ，２１ｃの前側は、任意の物品を収容するための収容部２３を構成する。
【００２４】
次に、この考案の他の実施の形態について説明する。図３（Ａ）は、この考案の他の実施の形態に係るバッグ１０ａの正面図で有り、図１（Ａ）に対応し、図３（Ｂ）は、この考案の他の実施の形態に係るバッグ１０ａの背面図で有り、図１（Ｂ）に対応する図である。図３を参照して、この実施の形態においては、上部の開口部２２をファスナーではなく、カバー部で覆い、カバー部を閉じ金具で正面に固定している。
【００２５】
具体的には、正面１１ａには、バッグ１０の上面開口部２２を閉じるカバー部１２の中央に設けられた帯部１３を正面の中央部で固定する閉じ部１４が設けられる。帯部１３には複数の孔が設けられ、バッグの正面１１ａには、複数の孔に係合可能な閉じ部１４としての閉じ用の棒部材が設けられている。
【００２６】
なお、背面１１ｂの上端部にはカバー部１２の後端部１２ｂがカバー部固定部２４に固定されている。
【００２７】
この実施の形態において、先の実施の形態と異なるのは、カバー部１２を設けた点のみで、他の点については、先の実施の形態と同一であるので、その説明は省略する。
【００２８】
次に、この考案に係るバッグ１０，１０ａの具体的な寸法について説明する。図１〜図３を参照して、この考案に係るバッグ１０の概略寸法は、バッグの取扱い上、縦が約１８ｃｍ、横が１０．５ｃｍ、側面の幅が４ｃｍ程度が好ましい。また、カバー部１２はバッグ１０の上端部から１３ｃｍ程度が好ましい。
【００２９】
また、ファスナー付きポケット１８は、上端部から２ｃｍ程度が好ましく、ファスナー付きポケットのポケット深さは９ｃｍ程度が好ましい。
【００３０】
また、ＩＣカードポケットは、ファスナー付きポケットの最下端部から上方向に５．８ｃｍの深さを有し、その幅は９ｃｍ程度が好ましい。
【００３１】
このように、ファスナー付きポケット１８のポケットの最下端部と、ＩＣカードポケット１６の最下端部との位置を揃えることによって、ＩＣカードポケット１６と、ファスナー付きポケット１８のポケットの最下端部とを同一の縫い目で仕上げることができ、バッグ１０の製造が容易になる。
【００３２】
図４は、図２に示した、３つの収容部２１ａ，２１ｂ，２１ｃにカード等を収容した状態を示す図である。なお、収容部は３つに限らず、任意の数のポケットが設けられてもよい。
【００３３】
図５は、図３に示した実施の形態に係るバッグ１０ａにおいて、収容部２３に複数の物品を収容した状態を示す図である。ここでは、ベルト１５を省略している。図５を参照して、ここでは、パスポート２５や、大型のスマホ２７や、眼鏡２８等が収容されている。なお、ここでは、閉じ部の形式が図３の場合と異なっている。
【００３４】
なお、ベルト１５の長さを調節することにより、たとえば、ショルダーバッグ、ハンドバッグとして使用することができる。
【００３５】
図６は、ＩＣカードポケット１６と、ファスナー付ポケット１８を同じ面に設けた場合の、ＩＣカードのＩＣカードポケット１６への挿入方法や、ファスナー付ポケット１８の使用方法を示す図である。図６に示すように、ＩＣカードポケット１６に隣接して、財布としても利用可能なファスナー付ポケット１８を設けているため、例えばＩＣカードが定期券のような場合において、ＩＣカードが使用できない場合に、財布としても利用可能なファスナー付ポケットから、切符の購入に必要なお金を容易に取り出すことができる。
【００３６】
なお、カードポケット１６は、バッグ１０全体を構成する本体生地と同じ生地で製造されても良いし、異なる生地で製造されてもよい。
【００３７】
なお、上記実施の形態において、バッグ１０，１０ａの各部の好ましい寸法を表示したが、バッグの寸法は、これらの寸法に限るものではなく、これらとは異なる寸法であってもよいし、これらの寸法のプラスマイナス２０％程度であってもよい。
【００３８】
また、上記実施の形態において、ＩＣカードとして定期券の場合について説明したが、これに限らず、任意のＩＣカードを用いてもよい。
【００３９】
また、上記実施の形態においては、ＩＣカードポケットの幅方向の中央部には、縦方向に長いくり抜きを設けた例について説明したが、これはなくてもよい。
【００４０】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００４１】
１０，１０ａ  バッグ、１１ａ  正面、１１ｂ  背面、１２  カバー部、１２ｂ  後端部、１３  帯部、１４  閉じ部、１５  ベルト、１６  ＩＣカードポケット、１７  くり抜き、１８  ポケット、１８ａ  ファスナー、１９  ファスナー、２０  底部、２２  上面開口部、２３  収容部。
【図１】
0003222417.tif 000003
【図２】
0003222417.tif 000004
【図３】
0003222417.tif 000005
【図４】
0003222417.tif 000006
【図５】
0003222417.tif 000007
【図６】
0003222417.tif 000008
【手続補正書】
【提出日】令和1年6月3日(2019.6.3)
【手続補正１】
【補正対象書類名】実用新案登録請求の範囲
【補正対象項目名】全文
【補正方法】変更
【補正の内容】
【実用新案登録請求の範囲】
【請求項１】
上部に開口部を有する収容部を有するとともに、一方側の面と、他方側の面とを有するバッグであって、
前記一方側または他方側のいずれか一方の面には、ＩＣカードを保持するＩＣカードポケットが設けられる、バッグ。
【請求項２】
前記ＩＣカードポケットは内部のカードの少なくとも一部が見える開口を有する、請求項１に記載のバッグ。
【請求項３】
前記一方側、または他方側の面には、ファスナー付のポケットが設けられる、請求項１または２に記載のバッグ。
【請求項４】
前記収容部には、複数のカードを収容する、複数のポケットが設けられる、請求項１〜３のいずれかに記載のバッグ。
【請求項５】
前記開口部を覆うカバー部と、前記カバー部を閉じる閉じ部とをさらに含み、前記閉じ部は、前記ＩＣカードポケットが設けられた面の反対側の面に設けられる、請求項１〜４のいずれかに記載のバッグ。
【請求項６】
前記ファスナー付きポケットの最下端部と、前記ＩＣカードポケットの最下端部とは同じ位置である、請求項３に記載のバッグ。